(57)【要約】【課題】  駐車券などの記録媒体を用いることなく、車両の出庫時に店舗での支払代金に応じた割り引きが行われた駐車料金を算出することができる駐車料金算出装置および駐車料金算出方法を提供する。【解決手段】  入庫データ記録部２３２は、入庫口カメラ１１で撮影され、入庫ナンバー認識制御部１５で認識された車番と入庫時刻とを関連付けて記憶装置２４に記憶する。商品代金決済処理部２３５は、電子マネー読み取りデバイス２１５が読み取った電子マネーＩＤを用いて決済された金額を、商品購入取引データ２４４の買物金額に記憶する。駐車料金演算部２３７は、出庫口カメラ３１で撮影され、出庫ナンバー認識制御部３５で認識された車番の入庫時刻と出庫時刻とから駐車時間を算出し、駐車料金マスタ２４２を検索して、算出した駐車時間、および出庫ナンバー認識制御部３５が認識した車番に関連付けられた買物金額に応じた割引後駐車料金を算出する。【選択図】      図１
2010286929.tif 000002
【特許請求の範囲】
【請求項１】
各車両を識別するために各車両のナンバープレートに記載される車両識別情報と、店舗での代金を決済するための決済識別情報と、決済識別情報を用いて決済された決済状況とを関連付けて記憶する記憶部と、
前記店舗に設けられる駐車場の入出庫口に設置され、入出庫する車両を検知し、検知した車両を撮影する撮影部と、
撮影部によって撮影された車両の撮影情報から車両識別情報を認識する認識部と、
認識部によって車両識別情報が認識された車両が駐車場に入出庫した時刻を取得する入出庫時刻取得部と、
認識部によって認識された車両識別情報に関連付けられた決済識別情報の決済状況を記憶部から取得する決済状況取得部と、
決済状況取得部によって取得された決済状況に応じて、駐車料金を割り引く割引条件を決定する割引条件決定部と、
入出庫時刻取得部によって取得された入出庫時刻から駐車時間を算出する駐車時間算出部と、
駐車時間算出部によって算出された駐車時間と割引条件決定部によって決定された割引条件とから割り引かれた駐車料金を算出する駐車料金算出部とを含むことを特徴とする駐車料金算出装置。
【請求項２】
前記決済識別情報は、電子マネーを表す電子マネー情報が記録される決済装置を識別するための情報であり、
前記駐車料金算出部によって算出された割り引かれた駐車料金が０円でないとき、前記駐車料金算出部によって算出された割り引かれた駐車料金を、前記決済装置に記録される電子マネー情報が示す電子マネーによって決済する決済部をさらに含むことを特徴とする請求項１に記載の駐車料金算出装置。
【請求項３】
前記決済装置によって決済された決済状況は、前記入出庫時刻取得部によって取得された入出庫時刻から算出される駐車時間の間に、前記駐車場が設けられた店舗で、前記決済装置に記録される決済識別情報に係る支払方法によって支払われた支払代金の累積金額であることを特徴とする請求項２に記載の駐車料金算出装置。
【請求項４】
各車両を識別するために各車両のナンバープレートに記載される車両識別情報と、店舗での代金を決済するための決済識別情報と、決済識別情報を用いて決済された決済状況とを関連付けて記憶する記憶部を有し、店舗に設けられる駐車場への入出庫時刻に基づいて駐車料金を算出する駐車料金算出装置によって駐車料金を算出する駐車料金算出方法であって、
前記駐車場の入出庫口に設置され、入出庫する車両を検知し、検知した車両を撮影する撮影部によって駐車場に入出庫する車両を撮影する撮影ステップと、
撮影ステップで撮影された車両の撮影情報から車両識別情報を認識する認識ステップと、
認識ステップで車両識別情報が認識された車両が駐車場に入出庫した時刻を取得する入出庫時刻取得ステップと、
認識ステップで認識された車両識別情報に関連付けられた決済識別情報の決済状況を記憶部から取得する決済状況取得ステップと、
決済状況取得ステップで取得された決済状況に応じて、駐車料金を割り引く割引条件を決定する割引条件決定ステップと、
入出庫時刻取得ステップで取得された入出庫時刻から駐車時間を算出する駐車時間算出ステップと、
駐車時間算出ステップで算出された駐車時間と割引条件決定ステップで決定された割引条件とから割り引かれた駐車料金を算出する駐車料金算出ステップとを含むことを特徴とする駐車料金算出方法。
【発明の詳細な説明】
【技術分野】
【０００１】
本発明は、店舗などに設置される駐車場の駐車料金を店舗での支払代金に応じて割り引いて算出する駐車料金算出装置および駐車料金算出方法に関する。
【背景技術】
【０００２】
駐車場を有する食品スーパーマーケットなどの店舗は、自店舗で買い物をした顧客に対してのみ、駐車料金を無料にする等のサービスを提供している。駐車料金を無料にするサービスは、車両が入出庫する時刻の記録、および買物金額の確認などが必要であり、概ね次のように行われる。
【０００３】
第１番目に、顧客は、駐車場の入口に設置されるゲートで、入庫時刻を磁気記録した駐車券を受け取る。第２番目に、顧客は、店内に駐車券を持込み、買物金額を証明するレシートとともに店舗の従業員に駐車料金無料サービスを依頼する。第３番目に、店舗従業員は、買物金額をチェックして、買物金額に応じた駐車料金サービス情報を駐車券に磁気記録する。第４番目に、顧客は、駐車場の出口に設置されたゲートに駐車券を挿入して精算し、出庫する。
【０００４】
駐車料金の算出を改善する他の従来の技術として、特許文献１に記載される無料駐車場管理装置がある。この無料駐車場管理装置は、入庫口および出庫口にそれぞれ設置されるカメラで撮影された画像データからナンバープレートの車両番号を認識する。そして、入出庫する車両が同一の車両であるか否かを判定し、同一であるとき、その車両に対する駐車料金を算出する。
【０００５】
駐車料金の算出を改善するさらに他の従来の技術として、特許文献２に記載される駐車場管理システムがある。この駐車場管理システムは、駐車場に設けられるＣＣＤ（Charge
Coupled Device）カメラが撮影するナンバープレートの画像を解析して得られる車両番号情報に基づいて、入出庫する車両が同一の車両であるか否かを判定し、同一であるとき、その車両に対する駐車料金を算出する。そして、算出した駐車料金は、出口ゲートに設けられる非接触カードリーダライタで、非接触のＩＣカードによって精算することができる。ＩＣカードは、プリペイド式のＩＣカード、または電子マネー機能を具備するＩＣカードである。
【先行技術文献】
【特許文献】
【０００６】
【特許文献１】特開平１０−３２０５９８号公報
【特許文献２】特開２００５−３４６５５１号公報
【発明の概要】
【発明が解決しようとする課題】
【０００７】
しかしながら、上述した最初の従来の技術は、入庫時刻を記録するための駐車券などの記録媒体を用いるので、顧客はその駐車券を携行する必要があり、紛失のリスクがある。また、店舗内に、店舗での支払代金に応じて割り引いた駐車料金を算出して駐車券に磁気記録する駐車券決済処理端末を設置し、さらにその駐車券決済処理端末を操作する店舗従業員が必要になる。したがって、顧客および店舗従業員ともに面倒な手続きを行う必要がある。
【０００８】
特許文献１に記載される無料駐車場管理装置は、カメラで撮影した画像データから車両番号を認識して、入出庫する車両が同一の車両であると、その車両に対する駐車料金を算出するものであるが、店舗での支払代金による駐車料金の割り引きを行うものではない。
【０００９】
特許文献２に記載される駐車場管理システムは、特許文献１に記載される無料駐車場管理装置と同様に、カメラで撮影した画像データから車両番号を認識して、入出庫する車両が同一の車両であると、その車両に対する駐車料金を算出するものであるが、店舗での支払代金による駐車料金の割り引きを行うものではない。
【００１０】
本発明の目的は、駐車券などの記録媒体を用いることなく、車両の出庫時に店舗での支払代金に応じた割り引きが行われた駐車料金を算出することができる駐車料金算出装置および駐車料金算出方法を提供することである。
【課題を解決するための手段】
【００１１】
本発明は、各車両を識別するために各車両のナンバープレートに記載される車両識別情報と、店舗での代金を決済するための決済識別情報と、決済識別情報を用いて決済された決済状況とを関連付けて記憶する記憶部と、
前記店舗に設けられる駐車場の入出庫口に設置され、入出庫する車両を検知し、検知した車両を撮影する撮影部と、
撮影部によって撮影された車両の撮影情報から車両識別情報を認識する認識部と、
認識部によって車両識別情報が認識された車両が駐車場に入出庫した時刻を取得する入出庫時刻取得部と、
認識部によって認識された車両識別情報に関連付けられた決済識別情報の決済状況を記憶部から取得する決済状況取得部と、
決済状況取得部によって取得された決済状況に応じて、駐車料金を割り引く割引条件を決定する割引条件決定部と、
入出庫時刻取得部によって取得された入出庫時刻から駐車時間を算出する駐車時間算出部と、
駐車時間算出部によって算出された駐車時間と割引条件決定部によって決定された割引条件とから割り引かれた駐車料金を算出する駐車料金算出部とを含むことを特徴とする駐車料金算出装置である。
【００１２】
また本発明は、前記決済識別情報は、電子マネーを表す電子マネー情報が記録される決済装置を識別するための情報であり、
前記駐車料金算出部によって算出された割り引かれた駐車料金が０円でないとき、前記駐車料金算出部によって算出された割り引かれた駐車料金を、前記決済装置に記録される電子マネー情報が示す電子マネーによって決済する決済部をさらに含むことを特徴とする。
【００１３】
また本発明は、前記決済装置によって決済された決済状況は、前記入出庫時刻取得部によって取得された入出庫時刻から算出される駐車時間の間に、前記駐車場が設けられた店舗で、前記決済装置に記録される決済識別情報に係る支払方法によって支払われた支払代金の累積金額であることを特徴とする。
【００１４】
また本発明は、各車両を識別するために各車両のナンバープレートに記載される車両識別情報と、店舗での代金を決済するための決済識別情報と、決済識別情報を用いて決済された決済状況とを関連付けて記憶する記憶部を有し、店舗に設けられる駐車場への入出庫時刻に基づいて駐車料金を算出する駐車料金算出装置によって駐車料金を算出する駐車料金算出方法であって、
前記駐車場の入出庫口に設置され、入出庫する車両を検知し、検知した車両を撮影する撮影部によって駐車場に入出庫する車両を撮影する撮影ステップと、
撮影ステップで撮影された車両の撮影情報から車両識別情報を認識する認識ステップと、
認識ステップで車両識別情報が認識された車両が駐車場に入出庫した時刻を取得する入出庫時刻取得ステップと、
認識ステップで認識された車両識別情報に関連付けられた決済識別情報の決済状況を記憶部から取得する決済状況取得ステップと、
決済状況取得ステップで取得された決済状況に応じて、駐車料金を割り引く割引条件を決定する割引条件決定ステップと、
入出庫時刻取得ステップで取得された入出庫時刻から駐車時間を算出する駐車時間算出ステップと、
駐車時間算出ステップで算出された駐車時間と割引条件決定ステップで決定された割引条件とから割り引かれた駐車料金を算出する駐車料金算出ステップとを含むことを特徴とする駐車料金算出方法である。
【発明の効果】
【００１５】
本発明によれば、記憶部によって、各車両を識別するために各車両のナンバープレートに記載される車両識別情報と、店舗での代金を決済するための決済識別情報と、決済識別情報を用いて決済された決済状況とが関連付けて記憶される。前記店舗に設けられる駐車場の入出庫口に設置される撮影部によって、入出庫する車両が検知され、検知された車両が撮影される。認識部によって、撮影部によって撮影された車両の撮影情報から車両識別情報が認識される。入出庫時刻取得部によって、認識部によって車両識別情報が認識された車両が駐車場に入出庫した時刻が取得される。決済状況取得部によって、認識部によって認識された車両識別情報に関連付けられた決済識別情報の決済状況が記憶部から取得される。割引条件決定部によって、決済状況取得部によって取得された決済状況に応じて、駐車料金を割り引く割引条件が決定される。駐車時間算出部によって、入出庫時刻取得部によって取得された入出庫時刻から駐車時間が算出される。そして、駐車料金算出部によって、駐車時間算出部によって算出された駐車時間と割引条件決定部によって決定された割引条件とから割り引かれた駐車料金が算出される。
【００１６】
すなわち、カメラなどの撮影部によって撮影した画像から認識した車両識別情報、たとえば車番に関連付けた決済識別情報で支払われた支払代金に応じた割引条件を駐車料金に反映することができる。したがって、駐車券などの記録媒体を用いることなく、車両の出庫時に店舗での支払代金に応じた割り引きが行われた駐車料金を算出することができる。
【００１７】
また本発明によれば、前記決済識別情報は、電子マネーを表す電子マネー情報が記録される決済装置を識別するための情報である。決済部によって、前記駐車料金算出部によって算出された割り引かれた駐車料金が０円でないとき、前記駐車料金算出部によって算出された割り引かれた駐車料金が、前記決済装置に記録される電子マネー情報が示す電子マネーによって決済される。したがって、駐車料金の精算を決済装置に記録される電子マネーで行うことができ、顧客は、出庫口で、決済装置で識別情報、たとえば電子マネーＩＤを読み取らせるとともに、その決済装置の電子マネーで割り引かれた駐車料金を精算することができる。
【００１８】
また本発明によれば、前記決済装置によって決済された決済状況は、前記入出庫時刻取得部によって取得された入出庫時刻から算出される駐車時間の間に、前記駐車場が設けられた店舗で、前記決済装置に記録される決済識別情報に係る支払方法によって支払われた支払代金の累積金額である。したがって、駐車場に係る複数の店舗で、電子マネーでの支払方法およびクレジットカードでの支払方法など決済識別情報と対応付けが可能な支払方法での支払代金について適用可能である。
【００１９】
また本発明によれば、各車両を識別するために各車両のナンバープレートに記載される車両識別情報と、店舗での代金を決済するための決済識別情報と、決済識別情報を用いて決済された決済状況とを関連付けて記憶する記憶部を有し、店舗に設けられる駐車場への入出庫時刻に基づいて駐車料金を算出する駐車料金算出装置によって駐車料金を算出するにあたって、撮影ステップでは、前記駐車場の入出庫口に設置され、入出庫する車両を検知し、検知した車両を撮影する撮影部によって駐車場に入出庫する車両を撮影する。認識ステップでは、撮影ステップで撮影された車両の撮影情報から車両識別情報を認識する。入出庫時刻取得ステップでは、認識ステップで車両識別情報が認識された車両が駐車場に入出庫した時刻を取得する。決済状況取得ステップでは、認識ステップで認識された車両識別情報に関連付けられた決済識別情報の決済状況を記憶部から取得する。割引条件決定ステップでは、決済状況取得ステップで取得された決済状況に応じて、駐車料金を割り引く割引条件を決定する。駐車時間算出ステップでは、入出庫時刻取得ステップで取得された入出庫時刻から駐車時間を算出する。そして、駐車料金算出ステップでは、駐車時間算出ステップで算出された駐車時間と割引条件決定ステップで決定された割引条件とから割り引かれた駐車料金を算出する。
【００２０】
すなわち、カメラなどの撮影部によって撮影した画像から認識した車両識別情報、たとえば車番に関連付けた決済識別情報で支払われた支払代金に応じた割引条件を駐車料金に反映することができる。したがって、駐車券などの記録媒体を用いることなく、車両の出庫時に店舗での支払代金に応じた割り引きが行われた駐車料金を算出することができる。
【図面の簡単な説明】
【００２１】
【図１】本発明の一実施形態である駐車料金精算システム１の構成を示すブロック図である。
【図２】駐車サービス登録用紙４０の一例を示す図である。
【図３】駐車サービス登録用紙４０の内容が登録された顧客マスタ２４１の一例を示す図である。
【図４】駐車料金精算システム１での駐車料金の精算を説明するための図である。
【図５】車両２を入庫するときの駐車料金精算システム１での入庫処理を示すフローチャートである。
【図６】店舗で代金を支払うときの駐車料金精算システム１での支払処理を示すフローチャートである。
【図７】車両２を出庫するときの駐車料金精算システム１での出庫処理を示すフローチャートである。
【図８】車両２を出庫するときの駐車料金精算システム１での出庫処理を示すフローチャートである。
【発明を実施するための形態】
【００２２】
図１は、本発明の一実施形態である駐車料金精算システム１の構成を示すブロック図である。駐車料金算出装置である駐車料金精算システム１は、駐車場を有する店舗などに設置されるシステムである。店舗は、スーパーマーケットなど商品を販売する店舗だけでなく、ボーリングおよび映画などのサービスを提供する店舗も含まれる。駐車料金に対する割引サービスは、これらの店舗で支払われた支払代金に応じて駐車料金を安くするサービスである。本発明に係る駐車料金算出方法は、駐車料金精算システム１で実行される。
【００２３】
駐車料金精算システム１は、駐車場入庫ゲート制御装置１０、入庫口カメラ１１、入庫開閉ゲート１２、入庫自動車検知センサ１３、ＰＯＳ（Point Of Sales）システム２０、駐車場出庫ゲート制御装置３０、出庫口カメラ３１、出庫開閉ゲート３２および出庫自動車検知センサ３３を含んで構成される。駐車場入庫ゲート制御装置１０、ＰＯＳシステム２０および駐車場出庫ゲート制御装置３０は、ＬＡＮ（Local Area Network）などのネットワークによって接続されている。
【００２４】
駐車場入庫ゲート制御装置１０は、入庫カメラ制御部１４、入庫ナンバー認識制御部１５、入庫ゲート制御部１６および入庫センサ制御部１７を含んで構成され、入庫口カメラ１１、入庫開閉ゲート１２、入庫自動車検知センサ１３およびＰＯＳシステム２０に接続される。
【００２５】
入庫口カメラ１１は、たとえば電荷結合素子（以下「ＣＣＤ」という）を用いるビデオカメラによって構成され、入庫カメラ制御部１４から、車両のナンバープレートの撮影を指令するナンバー撮影指令を受けると、撮影を行い、撮影した映像を表す撮影データを入庫カメラ制御部１４に送る。撮影データは、撮影情報である。入庫開閉ゲート１２は、入庫ゲート制御部１６からゲートを開くことを指示されると、ゲートを開けて車両の通行を可能とし、車両の通過を確認すると、ゲートを閉めて他の車両の通行を不可とする。
【００２６】
入庫自動車検知センサ１３は、たとえば光または超音波などを用いて車両の有無を検知するセンサであり、入庫センサ制御部１７から、入庫する車両の検知を指令する自動車検知センサ読み取り指令を受けると、入庫開閉ゲート１２付近に車両があるか否かを検知し、検知結果を入庫センサ制御部１７に知らせる。入庫カメラ制御部１４は、入庫センサ制御部１７から受けた検知結果が、車両があることを検知したことを示していると、入庫口カメラ１１にナンバー撮影指令を送る。そして、入庫口カメラ１１から撮影された映像の撮影データを受け取ると、受け取った撮影データを入庫ナンバー認識制御部１５に送る。
【００２７】
入庫ナンバー認識制御部１５は、入庫カメラ制御部１４から撮影データを受け取ると、受け取った撮影データから、車両のナンバープレートに記載される車両識別情報（以下「車番」ともいう）を認識し、認識した車番をＰＯＳシステム２０に送信する。入庫ゲート制御部１６は、ＰＯＳシステム２０から、ゲートを開くことを指令するゲートバーオープン指令を受信すると、ゲートを開くことを入庫開閉ゲート１２に指示する。入庫センサ制御部１７は、所定の時間、たとえば１秒が経過する度に、入庫自動車検知センサ１３に自動車検知センサ読み取り指令を送る。
【００２８】
駐車場出庫ゲート制御装置３０は、出庫カメラ制御部３４、出庫ナンバー認識制御部３５、出庫ゲート制御部３６、駐車料金決済部３７および出庫センサ制御部３８を含んで構成され、出庫口カメラ３１、出庫開閉ゲート３２、出庫自動車検知センサ３３およびＰＯＳシステム２０に接続される。駐車料金決済部３７は、金額表示ディスプレイ３７１、現金投入部３７２およびつり銭払い出し部３７３を含んで構成される。
【００２９】
出庫口カメラ３１は、たとえばＣＣＤを用いるビデオカメラによって構成され、出庫カメラ制御部３４から、ナンバー撮影指令を受けると、撮影を行い、撮影した映像を表す撮影データを出庫カメラ制御部３４に送る。出庫開閉ゲート３２は、出庫ゲート制御部３６からゲートを開くことを指示されると、ゲートを開けて車両の通行を可能とし、車両の通過を確認すると、ゲートを閉めて他の車両の通行を不可とする。
【００３０】
出庫自動車検知センサ３３は、たとえば光または超音波などを用いて車両の有無を検知するセンサであり、出庫センサ制御部３８から、自動車検知センサ読み取り指令を受けると、出庫開閉ゲート３２付近に車両があるか否かを検知し、検知結果を出庫センサ制御部３８に知らせる。
【００３１】
出庫カメラ制御部３４は、出庫センサ制御部３８から受けた検知結果が、車両があることを検知したことを示していると、出庫口カメラ３１にナンバー撮影指令を送る。そして、出庫口カメラ３１から撮影された映像の撮影データを受け取ると、受け取った撮影データを出庫ナンバー認識制御部３５に送る。出庫ナンバー認識制御部３５は、出庫カメラ制御部３４から撮影データを受け取ると、受け取った撮影データから、車両のナンバープレートに記載される車番を認識し、認識した車番をＰＯＳシステム２０に送信する。入庫口カメラ１１、入庫カメラ制御部１４、入庫自動車検知センサ１３、入庫センサ制御部１７、出庫口カメラ３１、出庫カメラ制御部３４、出庫自動車検知センサ３３および出庫センサ制御部３８は、撮影部を構成する。入庫ナンバー認識制御部１５および出庫ナンバー認識制御部３５は、認識部を構成する。
【００３２】
出庫ゲート制御部３６は、ＰＯＳシステム２０からゲートバーオープン指令を受信すると、ゲートを開くことを出庫開閉ゲート３２に指示する。また、出庫ゲート制御部３６は、ＰＯＳシステム２０から駐車料金を表示することを指令する駐車料金表示指令を受信すると、駐車料金表示指令に含まれる割引後駐車料金を表す駐車料金情報を駐車料金決済部３７に送る。そして、駐車料金決済部３７から駐車料金の精算が完了したことを知らされると、ゲートを開くことを出庫開閉ゲート３２に指示する。
【００３３】
決済部である駐車料金決済部３７は、出庫ゲート制御部３６から駐車料金情報を受け取ると、受け取った駐車料金情報を金額表示ディスプレイ３７１に表示する。そして、駐車料金決済部３７は、現金投入部３７２から知らされる金額が、駐車料金情報が示す駐車料金の金額に一致すると、駐車料金の精算が完了したことを出庫ゲート制御部３６に知らせる。駐車料金決済部３７は、現金投入部３７２から知らされる金額が、駐車料金情報が示す駐車料金の金額を超えているときは、超えている金額をつり銭払い出し部３７３に知らせる。そして、つり銭払い出し部３７３によるつり銭の払い出しが完了すると、駐車料金の精算が完了したことを出庫ゲート制御部３６に知らせる。
【００３４】
金額表示ディスプレイ３７１は、たとえば液晶ディスプレイによって構成され、駐車料金決済部３７から指示される駐車料金情報を表示する。現金投入部３７２は、投入された現金の金額（以下「投入金額」という）を認識し、認識した金額を駐車料金決済部３７に知らせる。つり銭払い出し部３７３は、駐車料金決済部３７から知らされる金額の釣銭を払い出す。出庫センサ制御部３８は、所定の時間、たとえば１秒が経過する度に、出庫自動車検知センサ３３に自動車検知センサ読み取り指令を送る。
【００３５】
ＰＯＳシステム２０は、サーバ２０１およびＰＯＳ端末２０２を含んで構成される。ＰＯＳ端末２０２は、図１には１台しか示していないが、複数台であってもよい。サーバ２０１は、演算制御装置２３および記憶装置２４を含んで構成される。ＰＯＳ端末２０２は、入力装置２１、出力装置２２および図示しない演算制御装置を含んで構成される。
【００３６】
入力装置２１は、たとえばキーボード２１１、マウス２１２、スキャナ２１３、タッチパネル２１４および電子マネー読み取りデバイス２１５を含んで構成され、入力された情報を図示しない演算制御装置に送る。
【００３７】
電子マネー読み取りデバイス２１５は、決済装置から決済識別情報を読み取り、読み取った決済識別情報を図示しない演算制御装置に送る。決済識別情報は、店舗での代金を決済するための情報であり、決済装置に記録されている。決済装置は、たとえば電子マネーによって決済することができる携帯電話機あるいはＩＣ（Integrated Circuit）カード、あるいはクレジットによって決済することができるクレジットカード、あるいは店舗専用の会員カードなどであり、決済装置に記録される決済識別情報に係る支払方法で決済することができる。
【００３８】
電子マネーによって決済することができる携帯電話機あるいはＩＣカードには、決済識別情報として電子マネーＩＤ（Identification）、および電子マネーを表す電子マネー情報が記録されている。電子マネーは、貨幣価値をデジタルデータで表したものであり、現金の代わりに使用することができる。以下、決済装置としてＩＣカードを例に、そして、決済識別情報として電子マネーＩＤを例に説明する。
【００３９】
出力装置２２は、たとえばディスプレイ２２１およびプリンタ２２２を含んで構成され、図示しない演算制御装置から受け取る情報をディスプレイ２２１またはプリンタ２２２に出力する。ＰＯＳ端末２０２の図示しない演算制御装置は、入力装置２１および出力装置２２を制御し、入力装置２１から受け取る情報をサーバ２０１の演算制御装置２３に送信し、演算制御装置２３から受信する情報を出力装置２２に送る。
【００４０】
演算制御装置２３は、顧客データ登録制御部２３１、入庫データ記録部２３２、顧客データ検索制御部２３３、ゲート開閉指示制御部２３４、商品代金決済処理部２３５、タイマ制御部２３６および駐車料金演算部２３７を含んで構成される。記憶部である記憶装置２４は、たとえば顧客マスタ２４１、駐車料金マスタ２４２、入庫記録データ２４３および商品購入取引データ２４４を記憶している。
【００４１】
顧客マスタ２４１は、顧客の車両の車番と、顧客が店舗での代金を決済するときに用いる電子マネーＩＤと、顧客の氏名とを関連付けて記憶する。図１に示した顧客マスタ２４１には、車番「１２３４」について、３つの電子マネーＩＤ「１２３・・・４５」、「２３５・・・５５」および「２６５・・・８８」、ならびに氏名「山田太郎」が示され、車番「５６７８」について、１つの電子マネーＩＤ「５６５・・・１３」、および氏名「鈴木一郎」が示され、車番「５６９８」について、３つの電子マネーＩＤ「１２３・・・４５」、「２３５・・・５５」および「２６５・・・８８」、ならびに氏名「山田太郎」が示されている。
【００４２】
図２は、駐車サービス登録用紙４０の一例を示す図である。駐車サービス登録用紙４０は、顧客の氏名、車番および電子マネーＩＤを登録するための用紙であり、顧客は事前にこれらの情報を登録しておく。駐車サービス登録用紙４０は、氏名欄、車番（図２では「プレートナンバー」という）蘭、および電子マネーＩＤ欄を有する。氏名欄は、顧客の氏名を記入する欄である。プレートナンバー蘭は、車両のナンバーを記入する欄である。電子マネーＩＤ欄は、顧客の電子マネーＩＤを記入する欄であり、複数の電子マネーＩＤを記入することができる。
【００４３】
図２に示した駐車サービス登録用紙４０には、氏名欄に「山田太郎」、プレートナンバー欄に「１２３４」、そして電子マネーＩＤ欄に、第１ＩＤとして「１２３４５６７８９０１２３４５６」、第２ＩＤとして「６５４３２１０９８７６５４３２１」、第３ＩＤとして「１１１１１１１１１１１１１１１１」が記入されている。
【００４４】
図３は、駐車サービス登録用紙４０の内容が登録された顧客マスタ２４１の一例を示す図である。図３に示した顧客マスタ２４１は、記憶装置２４に記憶される顧客マスタ２４１を模式的に示した図であり、車両のナンバーが「ＰＬＡＴＥ＿ＮＯ：１２３４」として記憶され、電子マネーＩＤが「ＭＯＮＥＹ＿ＩＤ１：１２３４５６７８９０１２３４５６」、「ＭＯＮＥＹ＿ＩＤ２：６５４３２１０９８７６５４３２１」および「ＭＯＮＥＹ＿ＩＤ３：１１１１１１１１１１１１１１１１」として記憶され、氏名が「ＮＡＭＥ：山田太郎」として記憶されていることを示している。
【００４５】
図１を参照して、駐車料金マスタ２４２は、駐車場に係る店舗での支払代金、たとえば買物金額に応じて割り引きを行った後の駐車料金（以下「割引後駐車料金」という）を、駐車時間ごとに記憶するデータである。買物金額に応じた駐車時間ごとの割引後駐車料金は、割引条件である。
【００４６】
図１に示した駐車料金マスタ２４２では、「買物金額２０００円未満」に対する割引後駐車料金は、駐車時間「１時間まで」が「０円」であり、駐車時間「２時間まで」が「２００円」であり、駐車時間「３時間まで」が「３００円」であり、駐車時間「３時間超」が「１００円／ｈ」である。そして、「買物金額２０００円以上」に対する割引後駐車料金は、駐車時間「１時間まで」が「０円」であり、駐車時間「２時間まで」が「０円」であり、駐車時間「３時間まで」が「０円」であり、駐車時間「３時間超」が「１００円／ｈ」である。
【００４７】
入庫記録データ２４３は、入庫時刻を車番ごとに記憶するデータである。図１に示した入庫記録データ２４３は、車番「１２３４」について入庫時刻が「１０：１０」であり、車番「５６７８」について入庫時刻が「１２：３５」である。
【００４８】
商品購入取引データ２４４は、顧客が電子マネーで決済を行った買物金額と顧客の車両の車番とを電子マネーＩＤに関連付けたデータである。図１に示した商品購入取引データ２４４は、電子マネーＩＤ［２３５・・・５５］について、買物金額が「３０００円」および車番「１２３４」であり、電子マネーＩＤ［５６５・・・１３］について、買物金額が「１００００円」および車番「５６７８」であり、電子マネーＩＤ「２６５・・・８８」について、買物金額が「２０００円」および車番「１２３４」である。商品購入取引データ２４４の電子マネーＩＤに関連付けられた買物金額は、決済識別情報を用いて決済された決済状況である。
【００４９】
顧客データ登録制御部２３１は、駐車サービス登録用紙４０に記入された情報を顧客マスタ２４１に登録する。入庫データ記録部２３２は、タイマ制御部２３６から受け取った時刻を入庫記録データ２４３の入庫時刻として、電子マネーＩＤに関連付けて記憶装置２４に記憶する。
【００５０】
顧客データ検索制御部２３３は、入庫ナンバー認識制御部１５から車番を受信すると、受信した車番が顧客マスタ２４１にあるか否かを検索し、入庫ナンバー認識制御部１５から受信した車番が顧客マスタ２４１にあると、その旨をタイマ制御部２３６に知らせる。入庫ナンバー認識制御部１５から受信した車番が顧客マスタ２４１にないと、チケット、つまり駐車券の発券を駐車場入庫ゲート制御装置１０に指示する。また、入庫データ記録部２３２から、入庫記録データ２４３の入庫時刻を記憶したことを知らされると、その旨をゲート開閉指示制御部２３４に知らせる。
【００５１】
また、顧客データ検索制御部２３３は、顧客が店舗での代金を決済するとき、ＰＯＳ端末２０２の電子マネー読み取りデバイス２１５がＩＣカードから読み取った電子マネーＩＤを、電子マネー読み取りデバイス２１５から受け取ると、受け取った電子マネーＩＤが顧客マスタ２４１にあるか否かを検索する。そして、受け取った電子マネーＩＤが顧客マスタ２４１にあると、その旨を商品代金決済処理部２３５に知らせる。
【００５２】
さらに、顧客データ検索制御部２３３は、出庫ナンバー認識制御部３５から車番を受信すると、受信した車番が顧客マスタ２４１にあるか否かを検索し、出庫ナンバー認識制御部３５から受信した車番が顧客マスタ２４１にあると、その旨をタイマ制御部２３６に知らせる。また、出庫ナンバー認識制御部３５から受信した車番の入庫時刻を入庫データ記録部２３２から取得し、駐車料金演算部２３７に知らせる。
【００５３】
さらにまた、顧客データ検索制御部２３３は、駐車料金演算部２３７が駐車時間を算出すると、出庫ナンバー認識制御部３５から受信した車番が商品購入取引データ２４４にあるか否かを検索し、出庫ナンバー認識制御部３５から受信した車番が商品購入取引データ２４４にあると、その旨を駐車料金演算部２３７に知らせる。
【００５４】
ゲート開閉指示制御部２３４は、入庫データ記録部２３２が入庫記録データ２４３の入庫時刻を記憶したことを、顧客データ検索制御部２３３から知らされると、ゲートバーオープン指令を入庫ゲート制御部１６に送信する。また、駐車料金演算部２３７から割引後駐車料金を知らされると、割引後駐車料金の表示を指令する駐車料金表示指令を出庫ゲート制御部３６に送信する。
【００５５】
商品代金決済処理部２３５は、顧客データ検索制御部２３３から、電子マネー読み取りデバイス２１５によって読み取られた電子マネーＩＤが顧客マスタ２４１にあることを知らされると、その電子マネーＩＤを用いて決済された金額を、商品購入取引データ２４４の買物金額に記憶する。すでに０円でない買物金額が記憶されているときは、記憶されている買物金額に加算する。
【００５６】
入出庫時刻取得部であるタイマ制御部２３６は、時刻を計時する計時部を有し、顧客データ検索制御部２３３から、入庫ナンバー認識制御部１５から受信した車番が顧客マスタ２４１にあることを知らされると、現在の時刻を、計時部を参照して取得し、入庫データ記録部２３２に送る。また、タイマ制御部２３６は、顧客データ検索制御部２３３から、出庫ナンバー認識制御部３５から受信した車番が顧客マスタ２４１にあることを知らされると、現在の時刻を、計時部を参照して取得し、取得した時刻を出庫時刻として、駐車料金演算部２３７に送る。
【００５７】
駐車料金演算部２３７は、タイマ制御部２３６から受け取った出庫時刻と、顧客データ検索制御部２３３から知らされた入庫時刻とから駐車時間を算出する。そして、駐車料金演算部２３７は、出庫ナンバー認識制御部３５から受信した車番が商品購入取引データ２４４にあることを顧客データ検索制御部２３３から知らされると、駐車料金マスタ２４２を参照して、算出した駐車時間に応じた割引後駐車料金を検索する。割引後駐車料金が０円でないときは、割引後駐車料金をゲート開閉指示制御部２３４に知らせる。割引後駐車料金が０円であるときは、ゲート開閉指示制御部２３４が出庫ゲート制御部３６にゲートバーオープン指令を送信する。駐車料金演算部２３７は、決済状況取得部、割引条件決定部、駐車時間算出部および駐車料金算出部である。
【００５８】
駐車料金演算部２３７は、たとえば、割引後駐車料金をＸとし、駐車時間をｈとするとき、割引後駐車料金Ｘを次式で算出する。ｈ≦１時間の場合、Ｘ＝０円であり、１＜ｈ≦２の場合、買物金額が２０００円未満で、Ｘ＝２００円、買物金額が２０００円以上で、Ｘ＝０円であり、２＜ｈ≦３の場合、買物金額が２０００円未満で、Ｘ＝３００円、買物金額が２０００円以上で、Ｘ＝０円であり、ｈ≧３時間の場合、Ｘ＝１００×｜ｈ−３｜円である。
【００５９】
図４は、駐車料金精算システム１での駐車料金の精算を説明するための図である。図４（ａ）は、駐車場の入庫口での処理である。駐車場入庫ゲート制御装置１０は、入庫口カメラ１１によって撮影されたナンバープレートの撮影データから車番を認識し、認識した車番をサーバ２０１に送信する。サーバ２０１は、駐車場入庫ゲート制御装置１０から受信した車番と顧客マスタ２４１とを照合し、顧客マスタ２４１の中に駐車場入庫ゲート制御装置１０から受信した車番があると、駐車場入庫ゲート制御装置１０から車番を受信した時刻を入庫記録データ２４３の入庫時刻として記憶し、ゲートバーオープン指令を、駐車場入庫ゲート制御装置１０を介して入庫開閉ゲート１２に指令し、ゲートを開く。
【００６０】
図４（ｂ）は、店舗内での処理である。ＰＯＳ端末２０２は、顧客が店舗での代金を決済するとき、電子マネー読み取りデバイス２１５がＩＣカードから読み取った電子マネーＩＤと、そのＩＣカードで決済する買物金額をサーバ２０１に送る。サーバ２０１は、ＰＯＳ端末２０２から受け取った買物金額を、受け取った電子マネーＩＤと同じ電子マネーＩＤに関連付けられている商品購入取引データ２４４の買物金額の欄に記憶する。すでに０円でない買物金額が記憶されているときは加算する。
【００６１】
図４（ｃ）は、駐車場の出庫口での処理である。駐車場出庫ゲート制御装置３０は、出庫口カメラ３１によって撮影されたナンバープレートの撮影データから車番を認識し、認識した車番をサーバ２０１に送信する。サーバ２０１は、駐車場出庫ゲート制御装置３０から受信した車番と顧客マスタ２４１とを照合し、顧客マスタ２４１の中に駐車場入庫ゲート制御装置１０から受信した車番があると、駐車場入庫ゲート制御装置１０から車番を受信した時刻を出庫時刻とする。
【００６２】
そして、サーバ２０１は、その出庫時刻と入庫記録データ２４３の入庫時刻とから駐車時間を算出し、算出した駐車時間と、商品購入取引データ２４４の買物金額とから割引後駐車料金を算出する。割引後駐車料金が０円であると、ゲートバーオープン指令を、駐車場出庫ゲート制御装置３０を介して出庫開閉ゲート３２に指令し、ゲートを開く。割引後駐車料金が０円でないと、駐車料金表示指令を駐車場出庫ゲート制御装置３０に送信し、駐車場出庫ゲート制御装置３０によって現金での割引後駐車料金の精算が行われる。
【００６３】
図５は、車両２を入庫するときの駐車料金精算システム１での入庫処理を示すフローチャートである。駐車料金精算システム１は、電源が投入され動作可能状態になると、ステップＡ１に移る。
【００６４】
ステップＡ１では、入庫センサ制御部１７は、所定の時間、たとえば１秒が経過する度に、入庫自動車検知センサ１３に自動車検知センサ読み取り指令を送る。ステップＡ２では、入庫センサ制御部１７は、入庫自動車検知センサ１３の検知結果が、車両があることを検知したことを示していると、ステップＡ３に進み、入庫自動車検知センサ１３の検知結果が、車両があることを検知したことを示していないと、ステップＡ１に戻る。
【００６５】
ステップＡ３では、入庫カメラ制御部１４は、入庫口カメラ１１にナンバー撮影指令を送る。ステップＡ４では、入庫口カメラ１１は、ナンバー撮影指令を受けると、車両のナンバープレートの撮影を行い、撮影した映像を表す撮影データを入庫カメラ制御部１４に送る。ステップＡ５では、入庫カメラ制御部１４は、撮影された映像の撮影データを入庫口カメラ１１から受け取ると、受け取った撮影データを入庫ナンバー認識制御部１５に送る。
【００６６】
ステップＡ６では、入庫ナンバー認識制御部１５は、入庫カメラ制御部１４から撮影データを受け取ると、受け取った撮影データから、車両のナンバープレートに記載される車番を認識し、認識した車番を顧客データ検索制御部２３３に送信する。ステップＡ７では、顧客データ検索制御部２３３は、入庫ナンバー認識制御部１５から車番を受信すると、受信した車番が顧客マスタ２４１にあるか否かを検索する。ステップＡ８では、顧客データ検索制御部２３３は、入庫ナンバー認識制御部１５から受信した車番が顧客マスタ２４１にあると、その旨をタイマ制御部２３６に知らせ、ステップＡ９に進み、入庫ナンバー認識制御部１５から受信した車番が顧客マスタ２４１にないと、ステップＡ１５に進む。
【００６７】
ステップＡ９では、タイマ制御部２３６は、現在の時刻を、計時部を参照して取得し、入庫データ記録部２３２に送る。ステップＡ１０では、入庫データ記録部２３２は、タイマ制御部２３６から受け取った時刻を入庫記録データ２４３の入庫時刻として、入庫ナンバー認識制御部１５から受信した車番と関連付けて記憶装置２４に記憶する。ステップＡ１１では、顧客データ検索制御部２３３は、入庫記録データ２４３への記録が終了したことを、ゲート開閉指示制御部２３４に知らせる。ステップＡ１２では、ゲート開閉指示制御部２３４は、ゲートバーオープン指令を入庫ゲート制御部１６に送信する。
【００６８】
ステップＡ１３では、入庫ゲート制御部１６は、ゲートを開くことを入庫開閉ゲート１２に指示する。ステップＡ１４では、入庫開閉ゲート１２は、ゲートをオープン、つまりゲートを開けて車両の通行を可能とし、車両の通過を確認すると、ゲートを閉めて車両の通行を不可とし、入庫処理を終了する。
【００６９】
ステップＡ１５では、駐車場入庫ゲート制御装置１０は、通常のチケット、つまり駐車券を発行する。ステップＡ１６では、駐車場入庫ゲート制御装置１０は、通常の入庫記録、すなわち入庫時刻をチケットに磁気記録して、ステップＡ１２に進む。
【００７０】
図６は、店舗で代金を支払うときの駐車料金精算システム１での支払処理を示すフローチャートである。顧客が支払うべき支払代金をＩＣカード３の電子マネーで精算したとき、ステップＢ１に進む。
【００７１】
ステップＢ１では、電子マネー読み取りデバイス２１５は、支払代金を電子マネーで決済したＩＣカード３に記録されている電子マネーＩＤを読み取り、読み取った電子マネーＩＤを顧客データ検索制御部２３３に送る。ステップＢ２では、顧客データ検索制御部２３３は、電子マネー読み取りデバイス２１５が読み取った電子マネーＩＤが顧客マスタ２４１にあるか否かを検索する。
【００７２】
ステップＢ３では、顧客データ検索制御部２３３は、電子マネー読み取りデバイス２１５が読み取った電子マネーＩＤが顧客マスタ２４１にあるか否かを判定する。電子マネー読み取りデバイス２１５が読み取った電子マネーＩＤが顧客マスタ２４１にあると、ステップＢ４に進み、電子マネー読み取りデバイス２１５が読み取った電子マネーＩＤが顧客マスタ２４１にないと、支払処理を終了する。
【００７３】
ステップＢ４では、商品代金決済処理部２３５は、電子マネー読み取りデバイス２１５が読み取った電子マネーＩＤを用いて決済された金額を、電子マネーＩＤおよび車番と関連付けて、商品購入取引データ２４４の買物金額に記憶し、支払処理をする。すでに０円でない買物金額が記憶されているときは、記憶されている買物金額に加算し、支払処理をする。
【００７４】
図７および図８は、車両２を出庫するときの駐車料金精算システム１での出庫処理を示すフローチャートである。駐車料金精算システム１は、電源が投入され動作可能状態になると、ステップＣ１に移る。
【００７５】
ステップＣ１では、出庫センサ制御部３８は、所定の時間、たとえば１秒が経過する度に、出庫自動車検知センサ３３に自動車検知センサ読み取り指令を送る。ステップＣ２では、出庫センサ制御部３８は、出庫自動車検知センサ３３の検知結果が、車両があることを検知したことを示していると、ステップＣ３に進み、出庫自動車検知センサ３３の検知結果が、車両があることを検知したことを示していないと、ステップＣ１に戻る。
【００７６】
ステップＣ３では、出庫カメラ制御部３４は、出庫口カメラ３１にナンバー撮影指令を送る。ステップＣ４では、出庫口カメラ３１は、ナンバー撮影指令を受けると、車両のナンバープレートの撮影を行い、撮影した映像を表す撮影データを出庫カメラ制御部３４に送る。ステップＣ５では、出庫カメラ制御部３４は、撮影された映像の撮影データを出庫口カメラ３１から受け取ると、受け取った撮影データを出庫ナンバー認識制御部３５に送る。図５に示したステップＡ１〜Ａ５およびステップＣ１〜Ｃ５は、撮影ステップである。
【００７７】
ステップＣ６では、出庫ナンバー認識制御部３５は、出庫カメラ制御部３４から撮影データを受け取ると、受け取った撮影データから、車両のナンバープレートに記載される車番を認識し、認識した車番を顧客データ検索制御部２３３に送信する。図５に示したステップＡ６およびステップＣ６は、認識ステップである。ステップＣ７では、顧客データ検索制御部２３３は、出庫ナンバー認識制御部３５から車番を受信すると、受信した車番が顧客マスタ２４１にあるか否かを検索する。
【００７８】
ステップＣ８では、顧客データ検索制御部２３３は、検索結果が顧客マスタ２４１に出庫ナンバー認識制御部３５によって認識された車番があることを示しているか否かを判定する。検索結果が顧客マスタ２４１に出庫ナンバー認識制御部３５によって認識された車番があることを示していると、ステップＣ９に進み、検索結果が顧客マスタ２４１に出庫ナンバー認識制御部３５によって認識された車番があることを示していないと、ステップＣ２４に進む。
【００７９】
ステップＣ９では、顧客データ検索制御部２３３は、出庫ナンバー認識制御部３５から受信した車番の入庫時刻を入庫データ記録部２３２から取得し、駐車料金演算部２３７に知らせる。ステップＣ１０では、タイマ制御部２３６は、現在の時刻を、計時部を参照して取得し、取得した時刻を出庫時刻として、駐車料金演算部２３７に送る。図５に示したステップＡ９およびステップＣ１０は、入出庫時刻取得ステップである。駐車料金算出ステップであるステップＣ１１では、駐車料金演算部２３７は、タイマ制御部２３６から受け取った出庫時刻と、顧客データ検索制御部２３３から知らされた入庫時刻とから駐車時間を算出する。
【００８０】
ステップＣ１２では、顧客データ検索制御部２３３は、出庫ナンバー認識制御部３５から受信した車番が商品購入取引データ２４４にあるか否かを検索する。ステップＣ１３では、顧客データ検索制御部２３３は、検索結果が、出庫ナンバー認識制御部３５から受信した車番が商品購入取引データ２４４にあることを示しているか否かを判定する。検索結果が、出庫ナンバー認識制御部３５から受信した車番が商品購入取引データ２４４にあることを示していると、ステップＣ１４に進み。検索結果が、出庫ナンバー認識制御部３５から受信した車番が商品購入取引データ２４４にあることを示していないと、ステップＣ１６に進む。
【００８１】
ステップＣ１４では、駐車料金演算部２３７は、記憶装置２４に記憶される商品購入取引データ２４４の買物金額から出庫ナンバー認識制御部３５から受信した車番に関連付けられた買物金額を取得する。駐車料金演算部２３７は、駐車料金マスタ２４２を検索して、取得した買物金額に応じた割引条件を決定する。具体的には、たとえば買物金額が２０００円未満であれば、買物金額２０００円未満の駐車時間ごとの割引後駐車料金を割引条件として決定し、買物金額が２０００円以上であれば、買物金額２０００円以上の駐車時間ごとの割引後駐車料金を割引条件として決定する。そして、算出した駐車時間と、決定した割引条件とから割引後駐車料金を算出する。ステップＣ１４は、決済状況取得ステップ、割引条件決定ステップ、駐車時間算出ステップおよび駐車料金算出ステップである。
【００８２】
ステップＣ１５では、駐車料金演算部２３７は、割引後駐車料金が０円であるか否かを判定する。割引後駐車料金が０円であると、ゲート開閉指示制御部２３４によってゲートバーオープン指令を出庫ゲート制御部３６に送信し、ステップＣ２２に進む。割引後駐車料金が０円でないと、ステップＣ１６に進む。ステップＣ１６では、ゲート開閉指示制御部２３４は、割引後駐車料金の表示を指令する駐車料金表示指令を、割引後駐車料金を表わす駐車料金情報とともに出庫ゲート制御部３６に送信する。
【００８３】
ステップＣ１７では、出庫ゲート制御部３６は、ゲート開閉指示制御部２３４から駐車料金表示指令を受信すると、駐車料金表示指令とともに受信した駐車料金情報を駐車料金決済部３７に送り、表示を指示する。ステップＣ１８では、駐車料金決済部３７は、出庫ゲート制御部３６から駐車料金情報を受け取ると、受け取った駐車料金情報が示す割引後駐車料金を金額表示ディスプレイ３７１に表示する。ステップＣ１９では、駐車料金決済部３７は、現金投入部３７２から現金が投入されるのを待つ。
【００８４】
ステップＣ２０では、駐車料金決済部３７は、現金投入部３７２から投入された金額が、表示した割引後駐車料金以上であるか否かを判定する。現金投入部３７２から投入された金額が、表示した割引後駐車料金以上であると、ステップＣ２１に進み、現金投入部３７２から投入された金額が、表示した割引後駐車料金未満であると、ステップＣ１８に戻る。ステップＣ２１では、駐車料金決済部３７は、現金投入部３７２から投入された金額から割引後駐車料金を減算した金額のつり銭をつり銭払い出し部３７３によって払い出す。つり銭がないときは、何もせずにステップＣ２２に進む。
【００８５】
ステップＣ２２では、出庫ゲート制御部３６は、ゲートを開くことを出庫開閉ゲート３２に指示する。ステップＣ２３では、出庫開閉ゲート３２は、出庫ゲート制御部３６からゲートを開くことを指示されると、ゲートをオープン、つまりゲートを開いて、出庫処理を終了する。
【００８６】
ステップＣ２４では、駐車場出庫ゲート制御装置３０は、チケットから入庫時刻を読み取り、読み取った入庫時刻を演算制御装置２３に送信する。ステップＣ２５では、演算制御装置２３は、現在の時刻、つまり出庫時刻をタイマ制御部２３６によって取得する。ステップＣ２６では、演算制御装置２３は、チケットから読み取られた入庫時刻および割引条件と、タイマ制御部２３６によって取得した出庫時刻とから割引後駐車料金を算出し、ステップＣ１６に進む。割引条件は、たとえば店舗内に設置される駐車券決済処理端末によって記録される情報であり、駐車料金を割り引く条件を表す。駐車券決済処理端末は、店舗での支払代金に応じた割引条件をチケットに磁気記録する装置である。
【００８７】
上述した実施形態では、出庫時に出庫口での精算を現金で行っているが、電子マネー読み取りデバイスを出庫口に設けておいて、電子マネーによって決済することができる携帯電話機あるいはＩＣカードを用いて精算するようにしてもよい。
【００８８】
あるいは、電子マネー情報を携帯電話機あるいはＩＣカードではなく、サーバ２０１あるいはネットワークを介してサーバ２０１に接続される装置に記憶しておいて、かつ携帯電話機およびＩＣカードに記録される電子マネーＩＤと車番との関連付けを登録しておく構成にすることも可能である。この場合、顧客は、出庫ゲートで携帯電話機あるいはＩＣカードを電子マネー読み取りデバイスに読み取らせる必要がない。また、クレジットカードと車番との関連付けが登録されていれば、同様に、出庫口でクレジットカードを読み取らせる必要がない。すなわち、顧客は、入出庫口で車両の窓を開けることなく駐車料金の精算を行うことができる。
【００８９】
また、上述した実施形態では、店舗での代金の支払いをＩＣカードで行うようにしたが、現金で支払うことも可能である。この場合、現金での支払い時に、車番と関連付けて登録してあるＩＣカード、携帯電話機あるいはクレジットカードなどで決済識別情報を読み取る必要がある。
【００９０】
また、上述した実施形態では、車両の検知を入庫自動車検知センサ１３および出庫自動車検知センサ３３を用い、入庫自動車検知センサ１３および出庫自動車検知センサ３３が車両を検知したときに、入庫口カメラ１１および出庫口カメラ３１によって車両を撮影する構成としたが、入庫口カメラ１１および出庫口カメラ３１で撮影する映像の変化を認識して、車両が接近したことを検知する構成としてもよい。この場合、入庫自動車検知センサ１３および出庫自動車検知センサ３３を用いる必要がない。
【００９１】
このように、記憶装置２４によって、各車両を識別するために各車両のナンバープレートに記載される車番と、店舗での代金を決済するための電子マネーＩＤと、電子マネーＩＤを用いて決済された決済状況とが関連付けて記憶される。前記店舗に設けられる駐車場の入出庫口に設置される撮影部によって、入出庫する車両が検知され、検知された車両が撮影される。撮影部は、たとえば入庫口カメラ１１、入庫カメラ制御部１４、入庫自動車検知センサ１３、入庫センサ制御部１７、出庫口カメラ３１、出庫カメラ制御部３４、出庫自動車検知センサ３３および出庫センサ制御部３８によって構成される。入庫ナンバー認識制御部１５および出庫ナンバー認識制御部３５によって、撮影部によって撮影された車両の撮影情報から車番が認識される。タイマ制御部２３６によって、入庫ナンバー認識制御部１５および出庫ナンバー認識制御部３５によって車番が認識された車両が駐車場に入出庫した時刻が取得される。駐車料金演算部２３７によって、入庫ナンバー認識制御部１５および出庫ナンバー認識制御部３５によって認識された車番に関連付けられた電子マネーＩＤの決済状況が記憶装置２４から取得される。駐車料金演算部２３７によって、取得された決済状況に応じて、駐車料金を割り引く割引条件が決定される。駐車料金演算部２３７によって、タイマ制御部２３６によって取得された入出庫時刻から駐車時間が算出される。そして、駐車料金演算部２３７によって、算出された駐車時間と決定された割引条件とから割り引かれた駐車料金が算出される。
【００９２】
すなわち、カメラなどの撮影部によって撮影した画像から認識した車両識別情報、たとえば車番に関連付けた決済識別情報、たとえば電子マネーＩＤで支払われた支払代金に応じた割引条件を駐車料金に反映することができる。したがって、駐車券などの記録媒体を用いることなく、車両の出庫時に店舗での支払代金に応じた割り引きが行われた駐車料金を算出することができる。
【００９３】
さらに、電子マネーＩＤは、電子マネーを表す電子マネー情報が記録されるＩＣカードを識別するための情報である。駐車料金決済部３７によって、算出された割り引かれた駐車料金が０円でないとき、算出された割り引かれた駐車料金が、ＩＣカードに記録される電子マネー情報が示す電子マネーによって決済される。したがって、駐車料金の精算をＩＣカードに記録される電子マネーで行うことができ、顧客は、出庫口で、ＩＣカードで識別情報、たとえば電子マネーＩＤを読み取らせるとともに、そのＩＣカードの電子マネーで割り引かれた駐車料金を精算することができる。
【００９４】
さらに、ＩＣカードによって決済された決済状況は、タイマ制御部２３６によって取得された入出庫時刻から算出される駐車時間の間に、前記駐車場が設けられた店舗で、ＩＣカードに記録される電子マネーＩＤに係る支払方法によって支払われた支払代金の累積金額である。したがって、駐車場に係る複数の店舗で、電子マネーでの支払方法およびクレジットカードでの支払方法など決済識別情報と対応付けが可能な支払方法での支払代金について適用可能である。
【００９５】
さらに、各車両を識別するために各車両のナンバープレートに記載される車番と、店舗での代金を決済するための電子マネーＩＤと、電子マネーＩＤを用いて決済された決済状況とを関連付けて記憶する記憶装置２４を有し、店舗に設けられる駐車場への入出庫時刻に基づいて駐車料金を算出する駐車料金算出装置によって駐車料金を算出するにあたって、図５に示したステップＡ１〜Ａ５および図７に示したステップＣ１〜Ｃ５では、前記駐車場の入出庫口に設置され、入出庫する車両を検知し、検知した車両を撮影する撮影部によって駐車場に入出庫する車両を撮影する。撮影部は、たとえば入庫口カメラ１１、入庫カメラ制御部１４、入庫自動車検知センサ１３、入庫センサ制御部１７、出庫口カメラ３１、出庫カメラ制御部３４、出庫自動車検知センサ３３および出庫センサ制御部３８によって構成される。図５に示したステップＡ６および図７に示したステップＣ６では、図５に示したステップＡ１〜Ａ５および図７に示したステップＣ１〜Ｃ５で撮影された車両の撮影情報から車番を認識する。図５に示したステップＡ９および図７に示したステップＣ１０では、図５に示したステップＡ６および図７に示したステップＣ６で車番が認識された車両が駐車場に入出庫した時刻を取得する。図８に示したステップＣ１４では、図５に示したステップＡ６および図７に示したステップＣ６で認識された車番に関連付けられた電子マネーＩＤの決済状況を記憶装置２４から取得する。図８に示したステップＣ１４では、取得された決済状況に応じて、駐車料金を割り引く割引条件を決定する。図７に示したステップＣ１１では、図５に示したステップＡ９および図７に示したステップＣ１０で取得された入出庫時刻から駐車時間を算出する。そして、図８に示したステップＣ１４では、図７に示したステップＣ１１で算出された駐車時間と、決定された割引条件とから割り引かれた駐車料金を算出する。
【００９６】
すなわち、カメラなどの撮影部によって撮影した画像から認識した車両識別情報、たとえば車番に関連付けた電子マネーＩＤで支払われた支払代金に応じた割引条件を駐車料金に反映することができる。したがって、駐車券などの記録媒体を用いることなく、車両の出庫時に店舗での支払代金に応じた割り引きが行われた駐車料金を算出することができる。
【符号の説明】
【００９７】
１  駐車料金精算システム
２  車両
３  ＩＣカード
１０  駐車場入庫ゲート制御装置
１１  入庫口カメラ
１２  入庫開閉ゲート
１３  入庫自動車検知センサ
１４  入庫カメラ制御部
１５  入庫ナンバー認識制御部
１６  入庫ゲート制御部
１７  入庫センサ制御部
２０  ＰＯＳシステム
２１  入力装置
２２  出力装置
２３  演算制御装置
２４  記憶装置
３０  駐車場出庫ゲート制御装置
３１  出庫口カメラ
３２  出庫開閉ゲート
３３  出庫自動車検知センサ
３４  出庫カメラ制御部
３５  出庫ナンバー認識制御部
３６  出庫ゲート制御部
３７  駐車料金決済部
３８  出庫センサ制御部
４０  駐車サービス登録用紙
２０１  サーバ
２０２  ＰＯＳ端末
２１１  キーボード
２１２  マウス
２１３  スキャナ
２１４  タッチパネル
２１５  電子マネー読み取りデバイス
２２１  ディスプレイ
２２２  プリンタ
２３１  顧客データ登録制御部
２３２  入庫データ記録部
２３３  顧客データ検索制御部
２３４  ゲート開閉指示制御部
２３５  商品代金決済処理部
２３６  タイマ制御部
２３７  駐車料金演算部
２４１  顧客マスタ
２４２  駐車料金マスタ
２４３  入庫記録データ
２４４  商品購入取引データ
３７１  金額表示ディスプレイ
３７２  現金投入部
３７３  つり銭払い出し部
【図１】
2010286929.tif 000003
【図２】
2010286929.tif 000004
【図３】
2010286929.tif 000005
【図４】
2010286929.tif 000006
【図５】
2010286929.tif 000007
【図６】
2010286929.tif 000008
【図７】
2010286929.tif 000009
【図８】
2010286929.tif 000010